(57)【要約】【課題】それぞれ躯体の外面に沿うように連設される複数の窓板材の縦目地部のシール性能および意匠性を向上させることを可能とするシール構造および補助ガスケット部材を提供すること。【解決手段】それぞれ躯体の外面に沿うように連設される複数の窓ガラス材１、１の縦目地部ａを、これら窓ガラス材１、１の対向する側端部１ａ、１ａにそれぞれ設けられる一対の補助ガスケット部材２、２、躯体の外面と窓ガラス材１、１の内面１ｅと間に設けられる主シール部材等によってシールするシール構造である。一対の補助ガスケット部材２、２は、対向する他方の前記側端部１ａ、１ａに向けてそれぞれ薄板状に形成される一対の薄板状部２ｄ、２ｄを有している。窓ガラス材１、１は、一対の薄板状部２ｄ、２ｄが互いに重なり合った状態で配設されている。【選択図】図１
2005282233.tif 000002
【特許請求の範囲】
【請求項１】
それぞれ躯体の外面に沿うように連設される複数の窓板材間の縦目地部をシールするシール構造であって、
前記窓板材を支持する支持部材に、前記縦目地部より内側において設けられる主シール部材と、前記窓板材の対向する側端部にそれぞれ設けられる一対の補助ガスケット部材とを備え、
前記一対の補助ガスケット部材は対向する両方の前記側端部にそれぞれ設けられた状態で、対向する他方の前記側端部に向けてそれぞれ薄板状に形成される一対の補助シール部を有し、
前記窓板材は、前記一対の補助シール部が互いに重なり合った状態で配設されていることを特徴とするシール構造。
【請求項２】
前記補助ガスケット部材は、前記補助シール部が前記窓板材の外面と略面一状態に、前記窓板材の側端面に接着されていることを特徴とする請求項１に記載のシール構造。
【請求項３】
前記補助ガスケット部材の前記窓板材の側端面に対する接着は、両面接着テープによってなされていることを特徴とする請求項２に記載のシール構造。
【請求項４】
それぞれ躯体の外面に沿うように連設される複数の窓板材間の縦目地部を、主シール部材より内側においてシールするために、これら窓板材の対向する側端部にそれぞれ設けられる一対の補助ガスケット部材であって、
対向する両方の前記側端部にそれぞれ設けられた状態で、対向する他方の前記側端部に向けてそれぞれ薄板状に形成され、前記窓板材の配設状態で互いに重なり合う一対の補助シール部を備えることを特徴とする補助ガスケット部材。
【発明の詳細な説明】
【技術分野】
【０００１】
本発明は、それぞれ躯体の外面に沿うように連設される複数の窓板材の縦目地部をシールするシール構造および補助ガスケット部材に関する。
【背景技術】
【０００２】
建物の窓開口に連設される複数の窓板材の縦目地部をシールするシール構造としては、例えば、特許文献１に記載されているものがある。
この特許文献１に記載されている縦目地部のシール構造は、図３に示すように、隣り合う窓板材１０４ａ、１０４ｂの縦目地部に沿う方立部材１０６に連結固定されたガスケット支持部材１０９ａ、１０９ｂに支持され、窓板材１０４ａ、１０４ｂの対向する側端部をそれぞれ嵌め込み支持するように一対のガスケット部材１０８ａ、１０８ｂが設けられている。そして前記一対のガスケット部材１０８ａ、１０８ｂの少なくとも一方に断面中空のシール凸状１１２を一体成型したものである。
【０００３】
前記特許文献１に記載の技術においては、前記断面中空状のシール凸状１１２の弾性変形可能範囲が大きいため、窓板材１０４ａ、１０４ｂの面外方向、面内方向のずれを吸収しながら水密性を確保できる、という効果が記載されている。また、前記シール凸状１１２を間隔を空けて複数設けることによって水密性がさらに高まるとともに、各シール凸状１１２間にシール空間１１４が形成され、このシール空間１１４によって外部からの作用する圧力が減圧されて水密性がさらに高まる、という効果も記載されている。
【特許文献１】特開平１１─３０３５２２号公報
【発明の開示】
【発明が解決しようとする課題】
【０００４】
ところで、前記公報に記載されているシール構造においては、シール凸状１１２が一条のみである場合には、このシール凸状１１２が弾性変形するとはいえ防水対策上安全とは言えず、このため実施例においてはシール凸状１１２を間隔を空けて二条設けている。
しかしながら、前記したような２重のシール構造においても、強風や地震等、何らかの原因でシール空間１１４内に雨水が侵入してしまう可能性がある。この場合、一度シール空間１１４内に侵入してしまった雨水を上下方向に排水することも可能であるが、シール空間１１４が上下方向に長い場合、雨水を短期間で排水するのは困難であり、この場合、シール凸状１１２が比較的長期にわたって雨水に晒され、この部分からの漏水が懸念される。
【０００５】
また、前記公報に記載されているシール構造においては、ガスケット部材１０８ａ、１０８ｂを窓板材１０４ａ、１０４ｂに嵌め込んでいるために、窓板材１０４ａ、１０４ｂの外部側にガスケット部材１０８ａ、１０８ｂによる突出部が形成され、意匠的に好ましくない場合が多い。
【０００６】
本発明の課題は、それぞれ躯体の外面に沿うように連設される複数の窓板材の縦目地部のシール性能を向上させるとともに意匠性も向上させることを可能とする、シール構造および補助ガスケット部材を提供することである。
【課題を解決するための手段】
【０００７】
上記課題を解決するため、請求項１に記載の発明は、例えば図１および図２に示すように、
それぞれ躯体の外面に沿うように連設される複数の窓板材（窓ガラス材１、１）間の縦目地部ａをシールするシール構造であって、
前記窓板材（窓ガラス材１、１）を支持する支持部材３、３に、前記縦目地部ａより内側において設けられる主シール部材（シーリング材３ｂ、３ｂおよびガスケット部材３ａ、３ａ）と、前記窓板材（窓ガラス材１、１）の対向する側端部１ａ、１ａにそれぞれ設けられる一対の補助ガスケット部材２、２とを備え、
前記一対の補助ガスケット部材２、２は対向する両方の前記側端部１ａ、１ａにそれぞれ設けられた状態で、対向する他方の前記側端部１ａ、１ａに向けてそれぞれ薄板状に形成される一対の補助シール部（薄板状部２ｄ、２ｄ）を有し、
前記窓板材（窓ガラス材１、１）は、前記一対の補助シール部（薄板状部２ｄ、２ｄ）が互いに重なり合った状態で配設されていることを特徴としている。
【０００８】
請求項１に記載の発明によれば、前記窓板材を支持する支持部材に、縦目地部より内側において主シール部材が設けられている。また、前記一対の補助ガスケット部材は対向する両方の側端部にそれぞれ設けられた状態で、対向する他方の前記側端部に向けてそれぞれ薄板状に形成されている。そして、前記窓板材の配設状態では、前記一対の補助シール部が互いに重なり合った状態となっている。これにより、前記主シール部材の外部側には、この主シール部材と前記一対の補助シール部とによって囲まれる空間が形成されている。
【０００９】
この状態においては、前記主シール部材によって外部からの風雨の侵入が防止される。また、前記一対の補助シール部が互いに重なり合った状態では、前記主シール部材が風雨にさらされることが防止されるとともに、前記空間において一定圧力が保持される。さらに、互いに重なり合った状態の前記一対の補助シール部に強風雨等が作用した場合には、前記一対の補助シール部の重なりが外れ、前記空間には雨水が侵入し、この状態で前記一対の補助シール部がそれらの弾性力で再び重なり合った状態となって一定圧力が保持される。そして、前記空間に侵入した雨水の大半は直ぐに排出されるが、ガスケット部材の内面等に付着しているの残りの雨水は、晴天時等に前記一対の補助シール部に強風等が作用して前記一対の補助シール部の重なりが一時的に外れて前記空間に風が吹き込んだ場合等に、一定圧力が保持される前記空間から押し出されるように排出される。
【００１０】
すなわち、前記一対の補助シール部は、前記主シール部材が風雨にさらされることを略防止する。また、たとえ前記空間に雨水が侵入した場合にも前記したように比較的短期間で排出させるため、前記主シール部材が長期間にわたって雨水に浸ることがない。以上により、シール性能を向上させることができる。
【００１１】
さらに、前記主シール部材と前記一対の補助シール部とによって囲まれる空間の上下開口を、窓板材の上下端部を支持する支持部材にそれぞれ形成された外気導入孔兼排水口に連通させることによって、前記空間を外気に開放させて、建物の外部と内部の間に同圧の空間（主シール部材と一対の補助シール部とによって囲まれる空間）を作り、水が内部に侵入する力を緩衝させ、水を外気導入孔兼排水口から排出させることができる。
加えて、連設される複数の窓板材の縦目地部を、これら窓板材の対向する側端部にそれぞれ設けられる主シール部材と一対の補助シール部によってシールしているので、従来の湿式によるシーリングに比して、耐汚染性能に優れている。例えば、従来の湿式によるシーリングの場合、化学的性状変化でシリコンオイルが垂れて、壁が汚れたり、この壁に垂れたシリコンオイルに塵等が付着するが、本発明によるシール構造ではそのようなことがない。
【００１２】
本発明に係るシール構造は、例えば、建物にその躯体の外面に沿ってカーテンウォール形式の窓板材を施工する場合等に適用される。
【００１３】
請求項２に記載の発明は、例えば図１および図２に示すように、請求項１に記載のシール構造において、
前記補助ガスケット部材２、２は、前記補助シール部（薄板状部２ｄ、２ｄ）が前記窓板材（窓ガラス材１、１）の外面１ｆと略面一状態に、前記窓板材（窓ガラス材１、１）の側端面に接着されていることを特徴としている。
【００１４】
請求項２に記載の発明によれば、前記窓板材の縦目地部に外部側への突出部が形成されないため、意匠性を向上させることができる。
【００１５】
請求項３に記載の発明は、例えば図１および図２に示すように、請求項２に記載のシール構造において、
前記補助ガスケット部材２の前記窓板材（窓ガラス材１）の側端面に対する接着は、両面接着テープ４によってなされていることを特徴としている。
【００１６】
請求項３に記載の発明によれば、前記窓板材の側端面と前記補助ガスケット部材との接着を乾式の前記両面接着テープによって容易かつ安価に行うことができる。
【００１７】
請求項４に記載の発明は、例えば図１および図２に示すように、
それぞれ躯体の外面に沿うように連設される複数の窓板材（窓ガラス材１、１）間の縦目地部ａをシールするために、これら窓板材（窓ガラス材１、１）の対向する側端部１ａ、１ａにそれぞれ設けられる一対の補助ガスケット部材２、２であって、
対向する両方の前記側端部１ａ、１ａにそれぞれ設けられた状態で、対向する他方の前記側端部１ａ、１ａに向けてそれぞれ薄板状に形成され、前記窓板材（窓ガラス材１、１）の配設状態で互いに重なり合う一対の補助シール部（薄板状部２ｄ、２ｄ）を備えることを特徴としている。
【００１８】
請求項４に記載の発明によれば、前記一対の補助ガスケット部材は対向する両方の前記側端部にそれぞれ設けられた状態で、前記一対の補助シール部が対向する他方の前記側端部に向けてそれぞれ薄板状に形成される。そして、前記窓板材の配設状態では、前記一対の補助シール部が互いに重なり合った状態となる。これにより、前記縦目地部より内側に主シール部材を設けることで、この主シール部材の外部側には、この主シール部材と前記一対の補助シール部とによって囲まれる空間が形成される。
【００１９】
この状態においては、前記主シール部材によって外部からの風雨の侵入が防止される。また、前記一対の補助シール部が互いに重なり合った状態では、前記主シール部材が風雨にさらされることが防止されるとともに、前記空間において一定圧力が保持される。さらに、互いに重なり合った状態の前記一対の補助シール部に強風雨等が作用した場合には、前記一対の補助シール部の重なりが外れ、前記空間には雨水が侵入し、この状態で前記一対の補助シール部がそれらの弾性力で再び重なり合った状態となって一定圧力が保持される。そして、前記空間に侵入した雨水の大半は直ぐに排出されるが、ガスケット部材の内面等に付着しているの残りの雨水は、晴天時等に前記一対の補助シール部に強風等が作用して前記一対の補助シール部の重なりが一時的に外れて前記空間に風が吹き込んだ場合等に、一定圧力が保持される前記空間から押し出されるように排出される。
【００２０】
すなわち、前記一対の補助シール部は、前記主シール部材が風雨にさらされることを略防止する。また、たとえ前記空間に雨水が侵入した場合にも前記したように比較的短期間で排出させるため、前記主シール部材が長期間にわたって雨水に浸ることがない。以上により、シール性能を向上させることができる。
【発明の効果】
【００２１】
本発明によれば、シール部材によって外部からの風雨の侵入を防止できる。また、一対の補助シール部によって、主シール部材が風雨にさらされるのを防止できる。さらに、主シール部材と一対の補助シール部とによって囲まれる空間に侵入した雨水の大半は直ぐに排出されるが、この空間を形成する内面等に付着しているの残りの雨水は、晴天時等に前記一対の補助シール部に強風等が作用して前記一対の補助シール部の重なりが一時的に外れて前記空間に風が吹き込んだ場合等に、一定圧力が保持される前記空間から押し出されるように排出される。
【００２２】
すなわち、前記一対の補助シール部は、前記主シール部材が風雨にさらされることを略防止する。また、たとえ前記空間に雨水が侵入した場合にも前記したように比較的短期間で排出させるため、前記主シール部材が長期間にわたって雨水に浸ることがない。以上により、シール性能を向上させることができる。
【発明を実施するための最良の形態】
【００２３】
以下、図１および図２を参照して、本発明であるシール構造およびガスケット部材の実施の形態について詳細に説明する。
【００２４】
本発明に係るシール構造は、図１、図２に示すように、建物にその躯体の外面に沿ってカーテンウォール形式の窓ガラス材（窓板材）１、１を施工する場合等に適用され、連設される複数の窓ガラス材１、１の縦目地部ａを、これら窓ガラス材１、１の対向する側端部１ａ、１ａにそれぞれ設けられる一対の補助ガスケット部材２、２や、躯体の外面と窓ガラス材１、１の内面１ｅ、１ｅとの間に設けられる後述する主シール部材等によってシールするものである。
【００２５】
図１に示すように、窓ガラス材１、１の縦目地部ａの内部側には、互いに対向するように躯体である一対のＰＣ外壁が設けられている。これら一対のＰＣ外壁にはそれぞれアルミ合金等からなる一対の支持部材３、３が固定されており、対向する窓ガラス材１、１がそれらの側端部１ａ、１ａにおいてそれぞれ一対の支持部材３、３に支持される構造となっている。そして、支持部材３と窓ガラス材１、１の内面１ｅ、１ｅとの間には、それぞれ一対のシーリング材（主シール部材）３ｂ、３ｂと一対のスペーサ３ｃ、３ｃとが設けられている。また、対向する支持部材３、３には、例えばクロロプレンゴム等のゴム材からなる同一断面形状の一対のガスケット部材（主シール部材）３ａ、３ａが、縦目地部ａを挟んで左右対称となるように嵌め込まれて固定されている。さらに、窓ガラス材１、１の側端面それぞれには、同様にクロロプレンゴム等のゴム材からなる同一断面形状の一対の補助ガスケット部材２、２が、縦目地部ａを挟んで左右対称となるように固定されている。
【００２６】
ここで、補助ガスケット部材２の窓ガラス材１の側端面に対する固定は、シール性能を備えた両面接着テープ４によってなされている。これにより、補助ガスケット部材２、２は、その後述する薄板状部２ｄが窓ガラス材１の外面１ｆと略面一状態となるため、窓ガラス材１、１の縦目地部ａに外部側への突出部が形成されないようになっている。
【００２７】
一対の補助ガスケット部材２、２は窓ガラス材１、１の側端面にそれぞれ接着される接着面部２ａ、２ａと、これら接着面部２ａ、２ａと略９０度をなすように形勢され、窓ガラス材１、１の内面１ｅ、１ｅにそれぞれ接着される補助接着面部２ｂ、２ｂを備えている。一対の補助ガスケット部材２、２は、接着面部２ａ、２ａが窓ガラス材１、１の側端面にそれぞれ接着され、補助接着面部２ｂ、２ｂが窓ガラス材１、１の内面１ｅ、１ｅにそれぞれ接着されている。一対の補助ガスケット部材２、２は、さらに、一対の補助接着面部２ｂ、２ｂから延長して反対側の側端部１ａ、１ａに向けて薄板状にそれぞれ形成され、それぞれ先端部に外部側への突起２ｃ１、２ｃ１を有する一対の水切部２ｃ、２ｃと、これら水切部２ｃ、２ｃから外部側に離間した位置に反対側の側端部１ａ、１ａに向けてそれぞれ薄板状に形成される一対の薄板状部（補助シール部）２ｄ、２ｄとを備えている。接着面部２ａ、２ａには、両面接着テープ４の一方の面が挿入された状態で接着される接着溝２ａ１が１列形成されている。
【００２８】
窓ガラス材１、１は、一対の薄板状部２ｄ、２ｄが互いに重なり合った状態で配設されている。
【００２９】
図２は、前記したようなカーテンウォール形式の建物の出隅部を形成するように互いに略直角に配設された２枚の窓ガラス材１、１の縦目地部ａをシールするために、本発明に係るシール構造が適用されたものである。図２に示すシール構造の構成は、図１に示すシール構造の構成と、建物の出隅部であるか否かの相違以外は同じであるので、同符号を付して説明を省略する。ただし、図２に示すシール構造に用いられる補助ガスケット部材２は、その設けられる窓ガラス材１、１の配設位置が建物の出隅部であることから、接着面部２ａと補助接着面部２ｂとのなす角度が略１２０度程度に設定されている。
【００３０】
以下に、前記したシール構造が縦目地部ａをシールするしくみを説明する。
前述したシール構造においては、窓ガラス材１、１の配設状態においては、躯体の外面と窓ガラス材１、１の内面１ｅ、１ｅとの間で、主シール部材である一対のガスケット部材３ａ、３ａが互いに密接し、また、主シール部材である一対のシーリング材３ｂ、３ｂが設けられている。さらに、一対の薄板状部２ｄ、２ｄは互いに重なり合った状態となっている。これにより、前記主シール部材の外部側には、これらと一対の薄板状部２ｄ、２ｄとによって囲まれる空間２ｅが形成されている。
【００３１】
この状態においては、前記主シール部材によって外部からの風雨の侵入が防止される。また、一対の薄板状部２ｄ、２ｄが互いに重なり合った状態では、前記主シール部材が風雨にさらされることが防止されるとともに、空間２ｅにおいて一定圧力が保持される。さらに、互いに重なり合った状態の一対の薄板状部２ｄ、２ｄに強風雨等が作用した場合には、一対の薄板状部２ｄ、２ｄの重なりが外れ、空間２ｅには雨水が侵入し、この状態で一対の薄板状部２ｄ、２ｄがそれらの弾性力で再び重なり合った状態となって一定圧力が保持される。そして、空間２ｅに侵入した雨水の大半は直ぐに排出されるが、ガスケット部材の内面等に付着しているの残りの雨水は、晴天時等に一対の薄板状部２ｄ、２ｄに強風等が作用して一対の薄板状部２ｄ、２ｄの重なりが一時的に外れて空間２ｅに風が吹き込んだ場合等に、一定圧力が保持される空間２ｅから押し出されるように排出される。
【００３２】
本実施の形態によれば、以下のような効果を得ることができる。
（１）躯体の外面と窓ガラス材１、１の内面１ｅとの間には、主シール部材である一対のガスケット部材３ａ、３ａが互いに密接し、また、主シール部材である一対のシーリング材３ｂ、３ｂが設けられている。また、一対の補助ガスケット部材２、２は側端部１ａ、１ａにそれぞれ設けられた状態で、一対の薄板状部２ｄ、２ｄが互いに反対側の側端部１ａに向けてそれぞれ薄板状に形成されている。そして、窓ガラス材１、１の配設状態では、一対の薄板状部２ｄ、２ｄが互いに重なり合った状態となっている。これにより、前記主シール部材の外部側には、この主シール部材と一対の薄板状部２ｄ、２ｄとによって囲まれる空間２ｅが形成されている。
【００３３】
この状態においては、前記主シール部材によって外部からの風雨の侵入が防止される。また、一対の薄板状部２ｄ、２ｄが互いに重なり合った状態では、前記主シール部材が風雨にさらされることが防止されるとともに、空間２ｅにおいて一定圧力が保持される。さらに、互いに重なり合った状態の前記一対の薄板状部２ｄ、２ｄに強風雨等が作用した場合には、一対の薄板状部２ｄ、２ｄの重なりが外れ、空間２ｅには雨水が侵入し、この状態で一対の薄板状部２ｄ、２ｄがそれらの弾性力で再び重なり合った状態となって一定圧力が保持される。そして、空間２ｅに侵入した雨水の大半は直ぐに排出されるが、ガスケット部材の内面等に付着しているの残りの雨水は、晴天時等に一対の薄板状部２ｄ、２ｄに強風等が作用して一対の薄板状部２ｄ、２ｄの重なりが一時的に外れて空間２ｅに風が吹き込んだ場合等に、一定圧力が保持される空間２ｅから押し出されるように排出される。
【００３４】
すなわち、一対の薄板状部２ｄ、２ｄは、前記主シール部材が風雨にさらされることを略防止する。また、たとえ空間２ｅに雨水が侵入した場合にも前記したように比較的短期間で排出させるため、主シール部材が長期間にわたって雨水に浸ることがない。以上により、シール性能を向上させることができる。
【００３５】
（２）補助ガスケット部材２の窓ガラス材１の側端面に対する固定を、シール性能を備えた乾式の両面接着テープ４によって容易かつ安価に行うことができる。この際、補助ガスケット部材２は、薄板状部２ｄが窓ガラス材１の外面１ｆと略面一状態に、窓ガラス材１の側端面に接着されているため、窓ガラス材１、１間の縦目地部ａに外部側への突出部が形成されない。したがって意匠性を向上させることができる。
【００３６】
なお、本発明は本実施の形態に限定されるものではなく、本発明の趣旨を逸脱しない範囲で任意の変更が可能である。
【００３７】
例えば、本実施の形態においては、ガスケット部材２の窓ガラス材１の側端面への接着を乾式の両面接着テープ４によって行っているが、例えば、湿式の接着剤によって行ってもよい。
【図面の簡単な説明】
【００３８】
【図１】（ａ）は本発明に係るシール構造を示す図であり、（ｂ）は本発明に係る補助ガスケット部材を示す平断面図である。
【図２】（ａ）は本発明に係るシール構造を示す図であり、（ｂ）は本発明に係る補助ガスケット部材を示す平断面図である。
【図３】従来のガスケット部材およびこのガスケット部材を用いたシール構造を示す図である。
【符号の説明】
【００３９】
１      ガラス板（窓板材）
１ａ    側端部
１ｄ    外面
２      補助ガスケット部材
２ａ    接着面部
２ａ１  接着溝
２ｂ    薄板状部（補助シール部）
４      両面接着テープ
ａ      縦目地部
【図１】
2005282233.tif 000003
【図２】
2005282233.tif 000004
【図３】
2005282233.tif 000005